(57)【要約】【課題】  携帯端末の使い勝手の良い半自動式のスライド機構並びにスライド式のタッチパッド並びに携帯端末を提供する。【解決手段】  携帯端末の収容部内へ取り付けられたベース部材と、このベース部材に対してスライド可能に取り付けられ前記収容部に対し出し入れされるスライドプレートと、前記ベース部材の上部に前記スライドプレートを挟んで取り付けられた制御部材と、前記ベース部材と前記スライドプレートとの間に当該スライドプレートの摺動を付勢するために設けられた第１付勢手段と、前記スライドプレートと前記制御部材の間に設けたところの前記スライドプレートを押し込むことにより前記第１付勢手段の弾力に抗して前記スライドプレートを押し出すプッシュラッチ手段とを設けることで解決した。【選択図】        図５
2012185746.tif 000002
【特許請求の範囲】
【請求項１】
収容部内へ取り付けられたベース部材と、このベース部材に対してスライド可能に取り付けられ前記収容部に対し出し入れされるスライドプレートと、前記ベース部材の上部に前記スライドプレートを挟んで取り付けられた制御部材と、前記ベース部材と前記スライドプレートとの間に当該スライドプレートの摺動を付勢するために設けられた第１付勢手段と、前記スライドプレートと前記制御部材の間に設けたところの前記スライドプレートを押し込むことにより前記第１付勢手段の弾力に抗して前記スライドプレートを押し出すプッシュラッチ手段とを有することを特徴とする、スライド機構。
【請求項２】
前記プッシュラッチ手段は、前記スライドプレートのスライド補助手段と、このスライド補助手段のロック・解除を行うロック・解除手段とで構成したことを特徴とする、請求項１に記載のスライド機構。
【請求項３】
前記スライド補助手段は、前記スライドプレートに一方向へ回転付勢されて取り付けられた第１レバーと、この第１レバーに一方向へ回転付勢されて取り付けられた第２レバーと、前記スライドプレートを押し出し方向へスライドさせるために前記第１レバーに作用する前記制御部材に取り付けた第１ローラと、前記スライドプレートを収容方向へスライドさせるために前記第２レバーに作用させる前記制御部材に取り付けた第２ローラと、で構成されていることを特徴とする、請求項２に記載のスライド機構。
【請求項４】
前記ロック・解除手段は、前記スライドプレート上に一方向へ回転付勢されて取り付けられ前記第１レバーのロック・解除を行う第３レバーと、前記スライドプレート上に一方向へ回転付勢されて取り付けられ、前記第３レバーの係止及び係止解除を行う第４レバーとで構成したことを特徴とする、請求項２に記載のスライド機構。
【請求項５】
請求項１〜４のいずれか１項に記載のスライド機構を用いた携帯端末のスライド式のタッチパッド。
【請求項６】
請求項１〜４のいずれか１項に記載のスライド機構を搭載したことを特徴とする、携帯端末。
【請求項７】
請求項５に記載のスライド式のタッチパッドを搭載したことを特徴とする、携帯端末。
【発明の詳細な説明】
【技術分野】
【０００１】
本発明は、例えばノートパソコンのような携帯端末のタッチパッドをキーボード部より出し入れする際に用いて好適なスライド機構並びにスライド式のタッチパッド並びに携帯端末に関する。
【背景技術】
【０００２】
従来、ノートパソコンのような携帯端末においては、座標入力デバイスとしてマウスのほかにタッチパッドが用いられている。一般的に座標入力はマウスでこと足りるが、ノートパソコンを置くデスク上にマウスを置くスペースがなかったり、デスク以外で使用する場合には、マウスを使用できない場合もあるので、タッチパッドが常備されている。しかしながら、設置スペースを省略するために、キーボード部内部へタッチパッドを出し入れ可能に設置しておき、不使用時にはキーボード部内へ収納させておき、使用時にキーボード部より引き出して使用するように構成したものが下記する特許文献に示したように公知である。
【０００３】
この場合、使用時にはタッチパッドの先端を手指で摘んで引き出し、使用が終了すると押して収容させる必要があり、使い勝手が悪かった。
【先行技術文献】
【特許文献】
【０００４】
【特許文献１】特開２０００-２３５４４８号公報
【発明の概要】
【発明が解決しようとする課題】
【０００５】
本発明の目的は、例えばノートパソコンのような携帯端末においてキーボード部内へ収容させたスライド式のタッチパッドを不使用時にはキーボード部内へ収容させておき、使用時に引き出して使用するように構成したものにおいて、タッチパッドの引き出し時に当該タッチパッドを押し込むことで自動的にタッチパッドが押し出され、不使用時には押し込むことでキーボード部内へ自動的に収容されてロックされるように成した使い勝手の良いスライド機構並びにスライド式のタッチパッド並びに携帯端末を提供せんとするにある。
【課題を解決するための手段】
【０００６】
上述した目的を達成するために本発明は、ベース部材と、このベース部材に対してスライド可能に取り付けられたスライドプレートと、前記ベース部材の上部に前記スライドプレートを挟んで取り付けられた制御部材と、前記ベース部材と前記スライドプレートとの間に当該スライドプレートの摺動を付勢するために設けられた第１付勢手段と、前記スライドプレートと前記制御部材の間に設けたところの前記スライドプレートを押し込むことにより前記第１付勢手段の弾力に抗して前記スライドプレートを押し出すプッシュラッチ手段とを有することを特徴とする。
【０００７】
本発明は、その際に、前記プッシュラッチ手段を、前記スライドプレートのスライド補助手段と、このスライド補助手段のロック・解除を行うロック・解除手段とで構成することができる。
【０００８】
本発明はまた、前記スライド補助手段は、前記スライドプレートに一方向へ回転付勢されて取り付けられた第１レバーと、この第１レバーに一方向へ回転付勢されて取り付けられた第２レバーと、前記スライドプレートを押し出し方向へスライドさせるために前記第１レバーに作用する前記制御部材に取り付けた第１ローラと、前記スライドプレートを収容方向へスライドさせるために前記第２レバーに作用させる前記制御部材に取り付けた第２ローラと、で構成することができる。
【０００９】
本発明はさらに、前記ロック・解除手段を、前記スライドプレート上に一方向へ回転付勢されて取り付けられ前記第１レバーのロック・解除を行う第３レバーと、前記スライドプレート上に一方向へ回転付勢されて取り付けられ、前記第３レバーの係止及び係止解除を行う第４レバーとで構成することができる。
【００１０】
本発明はさらに、上述したスライド機構を用いた携帯端末のスライド式のタッチパッドとすることができる。
【００１１】
本発明はまた、上述した構成のスライド機構や、スライド式のタッチパッドを搭載した携帯端末とするものである。
【発明の効果】
【００１２】
本発明は以下のように構成したので、タッチパッドを載置したスライドプレートをキーボード部内へ押し込んで手を離すことにより、自動的にスライドプレートが押し出されてタッチパッドの操作が可能となり、使用が終わるとスライドプレートを押し込んでキーボード部内へ収容させると、所定位置よりスライドプレートが自動的にスライドしてタッチパッドと共にキーボード部内へ収容されるので、使い勝手が向上するものである。
【図面の簡単な説明】
【００１３】
【図１】本発明に係るスライド機構を実施したノートパソコンの斜視図である。
【図２】本発明に係るスライド機構の第１付勢手段の動作を説明する説明図である。
【図３】本発明に係るスライド機構の部分の拡大平面図である。
【図４】本発明に係るスライド機構の部分の正面図である。
【図５】本発明に係るスライド機構の分解斜視図である。
【図６】スライドプレートを前方へ自動的に押し出すために当該スライドプレートを収容部内へ押し込んだ状態を示す説明図である。
【図７】スライドプレートが自動的に押し出されて行く途中の始のほうの状態を示す説明図である。
【図８】スライドプレートがさらに自動的に押し出されて行く途中の状態を示す説明図である。
【図９】スライドプレートが全部押し出された状態を示す説明図である。
【図１０】タッチパッドの操作が終了しスライドプレートが収容に向けて押し込まれていく途中の状態を示す説明図である。
【図１１】タッチパッドの操作が終了しスライドプレートが収容に向けてさらに押し込まれていく途中の状態を示す説明図である。
【図１２】タッチパッドの操作が終了しスライドプレートが収容に向けてさらに押し込まれていく途中の状態を示す説明図である。
【発明を実施するための形態】
【００１４】
以下に本発明の実施例を図面に基づいて説明する。尚、以下の説明ではノートパソコンを携帯端末の一例として説明するが、本発明に係るスライド機構は、ノートパソコン以外の携帯電話機、ゲーム機、電子辞書等のもの、或は、本発明に係るスライド機構の機能を必要とするものに広く適用できる。
【実施例】
【００１５】
図面によれば、図１において、指示記号１で示したものは例えばノートパソコンであり、キーボード部２と、このキーボード部２の後部に開閉可能に取り付けられたディスプレイ部３と、を有している。キーボード部２の前側中央部に設けた例えばタッチパッドの収容部４内には、スライド式のタッチパッド５がスライド機構６を介して出し入れ自在に収納されている。
【００１６】
スライド機構６は、図２以降に示されており、収容部４の内底部に取付金具７ａ、７ａ、７ａ、７ａを介して取り付けられた、平面略矩形状のベース部材７と、このベース部材７の両側部に設けた断面略Ｕ時形状を呈したガイド部７ｂ、７ｂにその両側端部に設けたレール部８ａ、８ａを、スライド可能に取り付けた平面略四角形状を呈したスライドプレート８と、ガイド部７ｂ、７ｂの上端部に設けた取付部７ｄ、７ｄに取付ピン９ｄ、９ｄを介して差し渡された細長いプレート状の制御部材９と、ベース部材７とスライドプレート８の間に弾設された一対のスネークスプリングから成る第１付勢手段１０、１０と、スライドプレート８と制御部材９との間に設けられたプッシュラッチ手段１１と、で構成されている。
【００１７】
このプッシュラッチ手段１１はさらに、スライド補助手段１１ａとロック・解除手段１１ｂで構成されると共に、スライドプレート８にはカバー部材１２が取り付けられ、とくに図２に示したように、このカバー部材１２にタッチパッド５が載置固定される構成である。尚、図面では、タッチパッド５を載置固定したカバー部材１２が、通常時において収容部４から一部突出したものが示してあるが、必ずしも突出している必要はない。
【００１８】
ガイド部７ｂ、７ｂには、断面略Ｕ字形状を呈した摺動部材７ｃ、７ｃが、その両端部に設けたフランジ部７ｅ、７ｅ・７ｅ、７ｅによって、長手方向へ抜け止め規制されて取り付けられている。
【００１９】
第１付勢手段１０、１０は、それぞれの一端部１０ａ、１０ａを取付ピン１０ｃ、１０ｃを介してベース部材７の上面へ水平方向へ回動可能に取り付けられると共に、他端部１０ｂ、１０ｂを取付ピン１０ｄ、１０ｄを介してスライドプレート８の裏面へ水平方向へ回動可能に取り付けられている。尚、スライド機構６の厚さに制限がない場合には、第１付勢手段１０、１０を他の引張コイルスプリングに代えることは可能である。また、この第１付勢手段は、図３と図５以降において図示を省略してある。
【００２０】
ベース部材７には、とくに図５に示したように、その４隅近傍に４個の六角形状を呈したところの取付金具７ａ、７ａ・７ａ、７ａの取付孔７ｆ、７ｆ、７ｆ、７ｆと、取付部７ｄ、７ｄの取付孔７ｇ、７ｇと、取付ピン１０ｃ、１０ｃを取り付ける取付孔７ｈ、７ｈが設けられている。さらに、指示記号７ｉ、７ｉは、取付ピン９ｄ、９ｄを取り付ける際の逃がし孔である。
【００２１】
プッシュラッチ手段１１のスライド補助手段１１ａは、スライドプレート８の上面に取付ピン１３ａを介してその一端部を水平方向へ回転可能に取り付けた第１レバー１３と、この第１レバー１３を一方向へ回転付勢するためにベース部材７と当該第１レバー１３との間に弾設した、例えばつる巻きバネから成る第２付勢手段１４と、第１レバー１３の一端部を上方へ折り曲げて形成した取付部１３ｂへ取付ピン１５ｂを介して同じく水平方向へ回転可能に取り付けた第２レバー１５と、この第２レバー１５に設けた取付部１５ａと第１レバー１３との間に弾設した、例えばつる巻きバネから成る第３付勢手段１６と、制御部材９の下面に所定間隔を空けて取付ピン１７ａ、１８ａを介して回転可能に取り付けた第１ローラ１７と第２ローラ１８とで構成されている。
【００２２】
尚、この制御部材９において、とくに図５に示したように、指示記号９ａ、９ａは、それ自身をベース部材７の取付部７ｄ、７ｄへ取付ピン９ｄ、９ｄを介して取り付ける際の取付孔であり、指示記号９ｂ、９ｂは、ローラ１７、１８を取り付けるための取付ピン１７ａ、１８ａの取付孔である。さらに、指示記号９ｅ、９ｅは、逃がし凹部であり、指示記号９ｆは、後述する制御ピン２４の取付孔である。
【００２３】
スライド補助手段１１ａの第１レバー１３は、複雑の形状を呈しているが、とくに図５に示したように、それ自身をスライドプレート８へ軸着させる軸支孔１３ｃを設けた側と対向する位置の先端に係止部１３ｄが設けられ、この係止部１３ｄに続いて上方へ折り曲げた係合片１３ｅがローラ１７に対向して設けられると共に、さらに、取付部１３ｂには当接部１３ｆと、ガイド溝１３ｇ、第３付勢手段１６の姿勢制御片１３ｈが設けられている。
【００２４】
さらに、とくに図５に示したように、指示記号１３ｉは第２レバー１５を回転可能に軸支する取付ピン１５ｂ用の軸支孔であり、指示記号１３ｊと１３ｋは、第２付勢手段１４と第３付勢手段１６の取付孔である。第２レバー１５の指示記号１５ｃは、取付ピン１５ｂの取付孔、１５ｄは第３付勢手段１６の軸支ピン１６ｃの取付孔、１５ｅは第２ローラ１８の第１当接部、１５ｆは係止部、１５ｇは第２ローラ１８の第２当接部である。
【００２５】
第２付勢手段１４は、とくに図５に示したように、それぞれの一端部１４ａと他端部１４ｂを軸支ピン１４ｃ、１４ｄを介して、第１レバー１３の取付孔１３ｊと、スライドプレート８の取付孔８ｂへ回転可能に軸支させている。第３付勢手段１６は、その一端部１６ａと他端部１６ｂを軸支ピン１６ｃ、１６ｃを介して第３レバー２０の取付孔１５ｄと第１レバー１３の取付孔１３ｋへ回転変位可能に連結されている。第４付勢手段２２は、その一端部２２ａと他端部２２ｂを支持ピン２２ｃ、２２ｄを介して第３レバー２０の取付孔２０ｆと、スライドプレート８の取付孔８ｋへ変位可能に連結されている。第５付勢手段２３は、その一端部２３ａと他端部２３ｂを軸支ピン２３ｃ、２３ｄを介して第４レバー２１の取付孔２１ｄとスライドプレート８の取付孔８ｈへ変位可能に連結されている。
【００２６】
次に、ロック・解除手段１１ｂは、スライドプレート８の上面に軸支ピン２０ａを介して水平方向へ回転可能に設けた第３レバー２０と、この第３レバー２０に近接して同じくスライドプレート８の上面に軸支ピン２１ａを介して水平方向へ回転可能に設けた第４レバー２１と、第３レバー２０とスライドプレート８との間に当該第３レバー２０を一方向へ回転付勢させるために弾設した、例えばつる巻きバネから成る第４付勢手段２２と、第４レバー２１とスライドプレート８との間に当該第４レバー２１を一方向へ回転付勢させるために弾設したつる巻バネから成る第５付勢手段２３と、制御部材９の下面に第３レバー２０の姿勢を制御するために取り付けた制御ピン２４とで構成されている。
【００２７】
第３レバー２０には、とくに図５に示したように、係止片２０ｂ、制御突起２０ｃ、ガイド孔２０ｄ、取付孔２０ｅ、取付孔２０ｆ、及び係止部２０ｇが設けられ、ガイド孔２０ｄには、スライドプレート８の取付孔８ｃへ取り付けたガイドピン２５が嵌入し、第３レバー２０の回転範囲を規制している。第４レバー２１には、スライドプレート８に設けた平面略扇形状の第１ガイド孔８ｄに嵌入する凸部２１ｂが設けられ、この凸部２１ｂに設けた取付孔２１ｅへ係止ピン２６が取り付けられると共に、それ自身の軸支孔２１ｃと第５付勢手段２３の取付孔２１ｄが設けられている。尚、第１ガイド孔８ｄは第４レバー２１の回動範囲を規制する。
【００２８】
さらに、スライドプレート８には、とくに図５に示したように、スペーサー２７、２７、２７、２７を取り付ける平面６角形状の取付孔８ｅ、８ｅ、８ｅ、８ｅが設けられると共に、一側両端部にストッパー片８ｆ、８ｆが折り曲げて形成され、中央部に大形の逃がし孔８ｇが設けられている。このスライドプレート８には、さらに、第１付勢手段１０、１０の他端部１０ｂ、１０ｂを軸支する取付ピン１０ｄ、１０ｄを取り付ける取付孔８ｐ、８ｐが設けられると共に、第５付勢手段２３の他端部２３ｂを軸支する軸支ピン２３ｄの取付孔８ｈ、第４レバー２１の軸支ピン２１ａを取り付ける取付孔８ｉ、第３レバー２０の軸支ピン２０ａを取り付ける取付孔８ｊ、軸支ピン１６ｄを取り付ける取付孔８ｋ、第１レバー１３のストッパーピン２８を取り付ける取付孔８ｍ、第１レバー１３の取付ピン１３ａを取り付ける取付孔８ｎなどが設けられている。
【００２９】
次に、上述した本発明に係るスライド機構６の動作について説明する。まず、スライド機構６しかしてタッチパッド５の不使用時には、図３に示したように、その上面に図示してないタッチパッド５を載置したスライドプレート８は、その先端をキーボード部２の収容部４の前端側より若干前側へ突出させた状態にあって、スライド補助手段１１ａの第１レバー１３は、屈曲された第２付勢手段１４が元に戻るときの弾力によって反時計方向へ回転付勢されているが、制御ピン２４が第３レバー２０の係止片２０ｂに当接していること、その係止部１３ｄがスライド補助手段１１ａの第３レバー２０の制御突起２０ｃによって係止されていること、及び第１付勢手段１０、１０の弾力により外方向へ押されていることなどにより、動作待機状態にある。
【００３０】
タッチパッド５を引き出して使用しようとする時には、当該タッチパッド５をスライドプレート８と共に収容部４内へ手指で押し込んで手指を離すと図６に示したように、第３レバー２０は、その係止片２０ｂが制御ピン２４によって押されることにより時計方向へ回転し、第３レバー２０の制御突起２０ｃと第１レバー１３の係止部１３ｄとの間の係合が外れるので、第１レバー１３は第２付勢手段１４の弾力により時計方向へ回転し始める。この際に第１ローラ１７が第１レバー１３の係合片１３ｅに当接しており、これを押圧するので、取付ピン１３ａでスライドプレート８を収容部４より外方向へ押し出すことになる。他方、カバー部材１２しかしてスライドプレート８に対する押圧動作の時に第３付勢手段１６の弾力により時計方向へ回転して係止片２０ｂによる第１レバー１３の係止部１３ｄとの係合を解いた第３レバー２０は、第５付勢手段２３によって時計方向へ回転した第４レバー２１の係止ピン２６と係合して停止状態となって、第１レバー１３の水平方向の回転を阻止しないようになっている。
【００３１】
スライドプレート８が押し出されて行くうちに、図７に示したように、制御ピン２４が第４レバー２１の係合部２１ｆを押して判時計方向へ回転させるので、第３レバー２０の係止部２０ｇと第４レバー２１の係止ピン２６との係合が外れ、第３レバー２０は第４付勢手段２２の弾力で元位置に戻ることになる。
【００３２】
スライドプレート８が第１レバー１３によって前方へ押し出されて行くと、図８に示したように、第１レバー１３はストッパーピン２８に当接して停止するが、第１付勢手段１０、１０がスライドプレート８のスライド動作に伴って回転変位して一度圧縮された後、伸長することになるので、スライドプレート８はそのストッパー片８ｆ、８ｆがガイド部７ｂ、７ｂに当接するまで押し出されて、ストッパー片８ｆ、８ｆが、図９に示したように、ガイド部７ｂ、７ｂのフランジ部７ｅ、７ｅに当接することによって停止する。スライドプレート８の押し出し動作に伴なって、第２ローラ１８は、第２レバー１５の第１当接部１５ｅに当接して当該第２レバー１５を第３付勢手段１６の弾力に抗して時計方向へ回転させた後、第２レバー１５が第３付勢手段１６の弾力により元位置に戻り、第２ローラ１８は第２レバー１５の反対側へ移動することになる。
【００３３】
このようにして、キーボード部２の収容部４より押し出されたタッチパッド５を使用した後、再びノートパソコンのキーボード部２の収容部４へ収納させるには、スライドプレート８をカバー部材１２しかしてタッチパッド５と共に、収容部４内に向けて押し込むと、図１０と図１１に示したように、スライドプレート８は第１付勢手段１０、１０の押圧力に抗して押し込まれて行くが、この時には第２ローラ１８が第２レバー１５の第２当接部１５ｇと第１レバー１３の当接部１３ｆに順次当接して第１レバー１３を第２付勢手段１４の弾力に抗して反時計方向へ回転させて元位置に戻す。この第１レバー１３が元位置に戻る直前に、制御ピン２４が係止片２０ｂに当接して第３レバー２０を時計方向へ回転させて、図１２に示したように、その制御突起２０ｃで元位置に戻った第１レバー１３の係止部１３ｄを係止するので、スライドプレート８の押し込み動作が停止する。
【００３４】
また、この停止状態において、第１付勢手段１０、１０が、とくに図２に示したように、回転変位してスライドプレート８を押し込み方向へ押圧することになるので、スライドプレート８は自動的に押し込み方向へスライドして、収容部４内への押し込み状態が維持されることになる。
【００３５】
このようにして、手指でスライドプレート８をタッチパッド５と共に収容部４内へ押し込んで手指を離すと、スライドプレート８が自動的に押し出されてタッチパッド５の使用が可能となり、使用を終了して押し出されたタッチパッド５をスライドプレート８と共に押し込むことにより、タッチパッド５は収容部４内へ自動的に押し込まれて収容されることになる。
【産業上の利用可能性】
【００３６】
本発明は以上のように構成したので、好適にはノートパソコンのスライド式のタッチパッドのスライド機構として用いることができ、また、このスライド機構と同じような機能を必要とする他の携帯端末、その他の機器類のスライド機構として好適に用いられるものである。
【符号の説明】
【００３７】
１  ノートパソコン
４  収容部
５  タッチパッド
６  スライド機構
７  ベース部材
８  スライドプレート
９  制御部材
１０  第１付勢手段
１１  プッシュラッチ手段
１１ａ  スライド補助手段
１１ｂ  ロック・解除手段
１３  第１レバー
１５  第２レバー
１７  第１ローラ
１８  第２ローラ
２０  第３レバー
２１  第４レバー
【図１】
2012185746.tif 000003
【図２】
2012185746.tif 000004
【図３】
2012185746.tif 000005
【図４】
2012185746.tif 000006
【図５】
2012185746.tif 000007
【図６】
2012185746.tif 000008
【図７】
2012185746.tif 000009
【図８】
2012185746.tif 000010
【図９】
2012185746.tif 000011
【図１０】
2012185746.tif 000012
【図１１】
2012185746.tif 000013
【図１２】
2012185746.tif 000014